(57)【特許請求の範囲】
【請求項１】
少なくとも、液体の流路が表面に形成された基板と前記流路を覆う蓋部とを備え、前記流路と前記蓋部の裏面とから構成された流体回路を内部に備えた検査対象受体であって、
前記流体回路は、少なくとも、遠心力により前記液体の成分を分離成分と当該分離成分より比重の大きい残留成分とに分離する分離部と、
前記分離部から次工程へ前記分離成分を導く第一流路と、
前記分離部で分離された前記分離成分が前記第一流路により前記分離部から前記次工程へ移行する際に前記分離部から流れ出る前記液体の一部を保持する保持部と、
前記分離部から前記保持部へ前記残留成分を導く第二流路と、を備え、
前記第二流路は前記分離部の前記第一流路側の側壁部に接続され、
前記側壁部は、前記分離部において前記分離成分と前記残留成分とに分離される際の遠心力の方向と、前記分離成分を前記第一流路を介して前記次工程へ導く際の遠心力の方向との間の方向に延設されていることを特徴とする検査対象受体。
【請求項２】
遠心力の付与による検査対象の液体を溜める液溜部から前記分離部へ前記液体の導入時及び前記分離部での前記分離成分と前記残留成分の分離時において、前記側壁部と前記第二流路の接続部から前記遠心力の方向に伸ばした延長線と前記第二流路の延設方向との成す角度は、９０度以上であることを特徴とする請求項１に記載の検査対象受体。
【請求項３】
前記分離部と前記第二流路との接続部の位置は、前記分離部での前記分離成分と前記残留成分との分離時の遠心力の方向において、前記分離部の中央よりも上流側になるように設けられていることを特徴とする請求項１又は２に記載の検査対象受体。
【請求項４】
前記分離部での前記分離成分と前記残留成分との分離後に前記分離成分が溜まる側の前記分離部の側壁部に前記第二流路が接続されていることを特徴とする請求項１〜３の何れかに記載の検査対象受体。
【請求項５】
前記第二流路は前記第一流路に向かって延設されることを特徴とする請求項１〜４の何れかに記載の検査対象受体。
【請求項６】
前記液溜部から前記分離部へ前記液体の導入時に前記分離部から溢れた液体を溜める余剰部を設け、
前記保持部と当該余剰部とが前記残留成分が流入可能に接続されていることを特徴とする請求項２に記載の検査対象受体。
【請求項７】
少なくとも、液体の流路が表面に形成された基板と前記流路を覆う蓋部とを備え、前記流路と前記蓋部の裏面とから構成された流体回路を内部に備えた検査対象受体であって、
前記流体回路は、少なくとも、遠心力により前記液体の成分を分離成分と当該分離成分より比重の大きい残留成分とに分離する分離部と、
前記分離部から次工程へ前記分離成分を導く第一流路と、
前記分離部で分離された前記分離成分が前記第一流路により前記分離部から前記次工程へ移行する際に前記分離部から流れ出る前記液体の一部を保持する保持部と、
を備え、
前記保持部は前記第一流路の前記分離部に接続する壁面に設けられ、且つ、前記分離成分を前記第一流路を介して前記次工程へ導く際の遠心力の方向に対向して開口していることを特徴とする検査対象受体。
【請求項８】
前記保持部に保持された前記残留成分を溜める第二保持部と、
前記保持部と当該第二保持部とを接続する第三流路とを備えたことを特徴とする請求項７に記載の検査対象受体。
【請求項９】
前記分離部の容積の半分より前記保持部の容積が小さいことを特徴とする請求項７又は８に記載の検査対象受体。
【請求項１０】
前記保持部の開口部は、前記第一流路の延設方向上に開口していることを特徴とする請求項７〜９の何れかに記載の検査対象受体。
【請求項１１】
遠心力により前記分離部から前記次工程へ前記分離成分を移行する状態時の当該遠心力の方向と前記第三流路の前記保持部から前記第二保持部への延設方向との成す角度は９０度以下であることを特徴とする請求項８に記載の検査対象受体。
【請求項１２】
前記第三流路と前記第二保持部が接する位置より、遠心力により前記分離部から前記次工程へ前記分離成分を移行する状態時の当該遠心力の方向に前記第二保持部が延設されていることを特徴とする請求項８に記載の検査対象受体。
【請求項１３】
検査対象の液体を溜める液溜部から前記分離部へ前記液体の導入時に前記分離部から溢れた液体を溜める余剰部を設け、
前記第二保持部と当該余剰部とが前記残留成分が流入可能に接続されていることを特徴とする請求項８に記載の検査対象受体。
【発明の詳細な説明】
【技術分野】
【０００１】
本発明は、検査対象受体に関し、詳細には、比重の異なる成分を含んだ液体を分離して、例えば、化学的、医学的、生物学的な検査を行うための検査対象受体に関する。
【背景技術】
【０００２】
従来、化学的、医学的、生物学的な検査の分野で、ＤＮＡ（Deoxyribo Nucleic Acid)や酵素、抗原、抗体、タンパク質、ウィルス、細胞などの生体物質、及び化学物質等を検知、定量する場合に使用するマイクロチップ又は検査チップと呼ばれる検査対象受体が提案されている。この検査対象受体では、内部の液体供給路に検査対象の液体を注入して、当該検査対象受体を水平に保持して公転させて、当該公転により生じる遠心力を利用して、検査対象受体内に形成された流路内の複数の混合槽に液体を移動させ検査を行うようになっている（例えば、特許文献１参照）。この検査対象受体では、血液に遠心力付加し、分離部で血漿（第一成分）と血球（第二成分）と分離し、血漿の一部を取り出すようになっている。この検査対象受体では、血漿の分離後、血球を含まない血漿のみを取り出すために、分離部を屈曲させて変形している。
【先行技術文献】
【特許文献】
【０００３】
【特許文献１】特開２００９−１３９３６９号公報
【発明の概要】
【発明が解決しようとする課題】
【０００４】
しかしながら、特許文献１に記載の発明の検査対象受体は、血漿の分離後に、血漿の取り出し方向と同じ方向に遠心力が掛かった場合に、分離部に残留した血球等の残留成分が次工程に流れ出すという問題点があった。この場合には、血漿に残留成分が混ざり、検査の精度が下がるという問題点があった。
【０００５】
本発明は、上記課題を解決するためになされたものであり、分離部で分離した残留成分が次工程に流れ出すことを防止できる検査対象受体を実現することを目的とする。
【課題を解決するための手段】
【０００６】
上記目的を達成するために、本発明の第１の態様の検査対象受体では、少なくとも、液体の流路が表面に形成された基板と前記流路を覆う蓋部とを備え、前記流路と前記蓋部の裏面とから構成された流体回路を内部に備えた検査対象受体であって、前記流体回路は、少なくとも、遠心力により前記液体の成分を分離成分と当該分離成分より比重の大きい残留成分とに分離する分離部と、前記分離部から次工程へ前記分離成分を導く第一流路と、前記分離部で分離された前記分離成分が前記第一流路により前記分離部から前記次工程へ移行する際に前記分離部から流れ出る前記液体の一部を保持する保持部と、前記分離部から前記保持部へ前記残留成分を導く第二流路と、を備え、前記第二流路は前記分離部の前記第一流路側の側壁部に接続され、前記側壁部は、前記分離部において前記分離成分と前記残留成分とに分離される際の遠心力の方向と、前記分離成分を前記第一流路を介して前記次工程へ導く際の遠心力の方向との間の方向に延設されていることを特徴とする。
【０００７】
この構成の検査対象受体では、分離部から分離成分次工程へ分離成分を移行する際に前記分離部から流れ出る液体の一部であり分離成分より比重の大きい残留成分を保持部にトラップすることができる。従って、分離部で分離した残留成分が次工程に流れ出すことを防止でき、検査の精度を高めることができる。
【０００８】
また、遠心力の付与による検査対象の液体を溜める液溜部から前記分離部へ前記液体の導入時及び前記分離部での前記分離成分と前記残留成分の分離時において、前記側壁部と前記第二流路の接続部から前記遠心力の方向に伸ばした延長線と前記第二流路の延設方向との成す角度は、９０度以上であるようにしても良い。この場合には、遠心力により分離部に液体を流し込むときに、液体が第二流路に流れ込むことを防止できる。
【０００９】
また、前記分離部と前記第二流路との接続部の位置は、前記分離部での前記分離成分と前記残留成分との分離時の遠心力の方向において、前記分離部の中央よりも上流側になるようにしても良い。この場合には、第二流路の入り口は分離成分側に位置するので、残留成分による第二流路の詰まりを防止することができる。
【００１０】
また、前記分離部での前記分離成分と前記残留成分との分離後に前記分離成分が溜まる側の前記分離部の側壁部に前記第二流路が接続されても良い。この場合には、第二流路の入り口は分離成分側に位置するので、残留成分による第二流路の詰まりを防止することができる。
【００１１】
また、前記第二流路は前記第一流路に向かって延設されても良い。この場合には、分離成分が第一流路に流れる前に、第二流路を介して保持部に分離成分が流れ込むことを防止できる。
【００１２】
前記液溜部から前記分離部へ前記液体の導入時に前記分離部から溢れた液体を溜める余剰部を設け、前記保持部と当該余剰部とが前記残留成分が流入可能に接続されても良い。この場合には、保持部と余剰部とを一体に形成することができ形成が容易になる。また、保持部の容積を増やすことができる。
【００１３】
少なくとも、液体の流路が表面に形成された基板と前記流路を覆う蓋部とを備え、前記流路と前記蓋部の裏面とから構成された流体回路を内部に備えた検査対象受体であって、前記流体回路は、少なくとも、遠心力により前記液体の成分を分離成分と当該分離成分より比重の大きい残留成分とに分離する分離部と、前記分離部から次工程へ前記分離成分を導く第一流路と、前記分離部で分離された前記分離成分が前記第一流路により前記分離部から前記次工程へ移行する際に前記分離部から流れ出る前記液体の一部を保持する保持部と、を備え、前記保持部は、前記第一流路の前記分離部に接続する壁面に設けられ、且つ、前記分離成分を前記第一流路を介して前記次工程へ導く際の遠心力の方向に対向して開口されていても良い。この場合には、第一流路に流れ出した残留成分を保持部にトラップすることができる。
【００１４】
前記保持部に保持された前記残留成分を溜める第二保持部と、前記保持部と当該第二保持部とを接続する第三流路とを備えても良い。この場合には、保持部に溜まった残留成分を第三流路を介して第二保持部に流すことができる。保持部から次工程に残留成分が流れることを防止できる。
【００１５】
前記分離部の容積の半分より前記保持部の容積が小さいようにしても良い。この場合には、分離成分が全て保持部にトラップされてしまうことを防止できる。
【００１６】
前記保持部の開口部は、前記第一流路の延設方向上に開口しても良い。この場合には、第一流路に流れ出した残留成分を確実に保持部にトラップすることができる。
【００１７】
遠心力により前記分離部から前記次工程へ前記分離成分を移行する状態時の当該遠心力の方向と前記第三流路の前記保持部から前記第二保持部への延設方向との成す角度は９０度以下であるようにしても良い。この場合には、第二保持部に溜まった残留成分が遠心力で第三流路を逆流することを防止できる。
【００１８】
前記第三流路と前記第二保持部が接する位置より、遠心力により前記分離部から前記次工程へ前記分離成分を移行する状態時の当該遠心力の方向に前記第二保持部が延設されていても良い。この場合には、第二保持部の奥部が遠心力方向に延設されるので、容積を確保すると共に、第二保持部に溜まった残留成分が第三流路を逆流することを防止できる。
【００１９】
検査対象の液体を溜める液溜部から前記分離部へ前記液体の導入時に前記分離部から溢れた液体を溜める余剰部を設け、前記第二保持部と当該余剰部とが前記残留成分が流入可能に接続されていても良い。この場合には、第二保持部と余剰部とを一体に形成することができ形成が容易になる。また、保持部の容積を増やすことができる。
【図面の簡単な説明】
【００２０】
【図１】検査装置１００の平面図である。
【図２】検査対象受体１のカバー部材３を取り去った状態の板状部材２の正面図である。
【図３】検査対象受体１の図２のＸ−Ｘ線に於ける矢視方向断面図である。
【図４】検査対象受体１に検査対象の液体７０及び試薬８０を注入した状態の板状部材２の正面図である。
【図５】検査対象受体１を初期の角度から９０度反時計回りに自転させ、遠心力を加えた状態の板状部材２の正面図である。
【図６】検査対象受体１に更に遠心力を加え、分離部１４で遠心分離を行った状態を示す板状部材２の正面図である。
【図７】検査対象受体１を図６に示す状態から９０度時計回りに自転させ、遠心力を加えて、分離成分７２を次工程に送る状態を示す板状部材２の正面図である。
【図８】検査対象受体１を図６に示す状態から９０度時計回りに自転させ、遠心力を加えて、分離成分７２を次工程に送る時に、残留成分７１が保持部３０にトラップされた状態を示す板状部材２の正面図である。
【図９】検査対象受体１を図８に示す状態から９０度反時計回りに自転させ、遠心力を加えた状態の板状部材２の正面図である。
【図１０】検査対象受体１を図９に示す状態から９０度時計回りに自転させ、遠心力を加えた状態の板状部材２の正面図である。
【図１１】検査対象受体１を図１０に示す状態で、遠心力を加えるのを止めた状態の板状部材２の正面図である。
【図１２】第二実施形態の検査対象受体１の板状部材２の正面図である。
【図１３】第三実施形態の検査対象受体１の板状部材２の正面図である。
【図１４】第四実施形態の検査対象受体１の板状部材２の正面図である。
【図１５】第五実施形態の検査対象受体１の板状部材２の正面図である。
【図１６】第六実施形態の検査対象受体１の板状部材２の正面図である。
【図１７】第七実施形態の検査対象受体１の板状部材２の正面図である。
【発明を実施するための形態】
【００２１】
以下、本発明の第一実施形態について説明する。本実施の形態では、検査対象受体１は、図１に示す検査装置１００に当該検査対象受体１の底面が重力方向（図１の紙面方向）と平行にして装着されて公転されて遠心力が付加される。検査対象受体１では、検査対象の液体（一例として血液）から、遠心力により比重の異なる分離成分（第一成分）（一例として、血漿）と、残留成分（第二成分）（一例として血球）とを分離して、分離成分を分離工程の次工程である検査工程に送る場合に、残留成分の次工程への流出を防止するものである。
【００２２】
先ず、図１を参照して、検査装置１００の構造を簡単に説明する。図１に示すように、検査装置１００の上板１０２上には、回転する円盤状のターンテーブル１０３が設けられている。また、当該ターンテーブル１０３上には、ホルダ角度変更機構１０４が設けられている。ホルダ角度変更機構１０４には、検査対象受体１が挿入され固定されて、所定角度自転するホルダ１０７が一対設けられている。また、上板１０２の下方には、図示外のモータが設けられ、ターンテーブル１０３を回転駆動するようになっている。ターンテーブル１０３がその中心部分１０５を軸心として回転することにより各ホルダ１０７に各々挿入された検査対象受体１には、矢印Ａ方向に遠心力が各々働くようになっている。また、ホルダ角度変更機構１０４の動作によりホルダ１０７が自転されて、検査対象受体１に働く遠心力の方向を変化させることができるようになっている。
【００２３】
ここで、図２の状態の検査対象受体１を初期状態という。図２では、重力方向は下方である。例えば、図５に示すように、検査対象受体１が初期状態から９０度反時計回りに自転された状態で公転されると、検査対象受体１には図５に示す矢印Ａ方向に重力よりも大きな力で遠心力が付与される。その遠心力により、検査対象受体１内に注入された検査対象の液体が移動する。
【００２４】
まず、検査対象受体１の構造について図２及び図３を参照して説明する。図２は、検査対象受体１を検査装置１００に装着する場合の正面図であり、カバー部材３を取り去った状態の板状部材２の正面図を示している。図２及び図３に示すように、検査対象受体１は、所定の厚みを有する板状部材２から構成され、下端部２２、上端部２５、左端部２３及び右端部２４から構成される正面視長方形の板状の部材である。板状部材２の材質としては、一例として合成樹脂を用いることができる。
【００２５】
図２及び図３に示すように、検査対象受体１の板状部材２には、所定深さに掘り下げられた凹部からなる第一液溜め部５、当該第一液溜め部５から流出する液体を所定量受け分離する分離部１４、第一液溜め部５から分離部１４に液体を流す導入路２０が設けられている。分離部１４は、所定量計り取った液体を検査対象受体１に付加される遠心力により比重の小さい成分（以下、「分離成分」とも言う。）と、当該分離成分より比重の大きい成分（以下、「残留成分」とも言う。）とに分離する。また、検査対象受体１の板状部材２には、所定深さに掘り下げられた凹部からなり、分離部１４で計り取った残りの余剰液体が流れる第六流路１１、第六流路１１の下流側に設けられ余剰液体が溜まる第一余剰部１０が設けられている。
【００２６】
また、板状部材２には、所定深さに掘り下げられた凹部からなり、分離部１４で計量され分離された分離成分の液体が流れる第一流路４０、第一流路４０の下流側に接続された第四流路４１、第四流路４１の下流側に設けられ分離成分の液体を所定量計り取る計量部４２及び計量部４２で計り取った残りの余剰液体が溜まる第二余剰部４３が設けられている。また、板状部材２には、計量部４２が計り取った液体が流れる第五流路４４と、第五流路４４の下流側に設けられ、計量部４２が計り取った液体が流れ込む受け部１７とが設けられている。また、板状部材２には、所定深さに掘り下げられた凹部からなり、受け部１７に注入する試薬や液体等が溜まる第二液溜め部６と、第二液溜め部６から受け部１７に液体を流す導入路２１とが形成されている。
【００２７】
また、分離部１４の第一流路４０側の側壁部１４１には、所定深さに掘り下げられた凹部からなり、分離部１４で分離した残留成分が第一流路４０へ流れ出すのを防止するためのトラップである保持部３０が第二流路３１により接続されている。
【００２８】
また、図２及び図３に示すように、検査対象受体１には、その表面側に検査対象受体１の表面を覆うカバー部材３が貼り付けられている。このカバー部材３が第一液溜め部５、第二液溜め部６、分離部１４、第一余剰部１０、計量部４２、第二余剰部４３、受け部１７、第一流路４０、第二流路３１、第六流路１１、第四流路４１、導入路２０、及び導入路２１等を封止する。カバー部材３は、正面視、板状部材２と同一形状の長方形の合成樹脂の透明の薄板から構成されている。また、カバー部材３には、第一液溜め部５に検査対象の液体や試薬等を注入する注入口１５及び第二液溜め部６に試薬や液体等を注入する注入口１６が形成されている。
【００２９】
以下、各部の構成の詳細を説明する。図２及び図３に示すように、第一液溜め部５は、注入口１５から注入された検査対象の液体や試薬を溜める部分であり、板状部材２に対して、正面視円形に所定深さ掘り下げられている。また、第二液溜め部６は、注入口１６から注入された検査対象の液体や試薬を溜める部分であり、板状部材２に対して、正面視円形に所定深さ掘り下げられている。
【００３０】
図２に於ける第一液溜め部５の下方には、分離部１４が設けられている。分離部１４は板状部材２に対して、所定深さ、所定幅及び所定長さを有する凹部であり、図２に示すように、底部側が検査対象受体１の次工程である受け部１７方向に傾斜して延設されている。
【００３１】
図２に示すように、保持部３０は正面視、矩形の凹部である。第二流路３１の一端部が保持部３０の上部に接続され、第二流路３１の他端部が分離部１４の側壁部１４１に接続されている。分離部１４で分離した分離成分を次工程側の第一流路４０に流す場合に、残留成分が第二流路３１から保持部３０に流れ込む。従って、残留成分が第一流路４０に流れ込むことを防止できる。
【００３２】
第六流路１１は、板状部材２に形成された所定幅、所定深さ及び所定長さを有する凹部であり、図２に示すように第一余剰部１０に向けて形成されている。また、第六流路１１の下流側には、第一液溜め部５から流れ出し、分離部１４で所定量計り取られた残りの液体が溜まる第一余剰部１０が設けられている。第一余剰部１０は、所定深さ、所定幅及び所定長さを有する凹部であり、検査対象受体１の下端部２２と平行に延設される正面視長方形の凹部となっている。また、図２に示すように、第一余剰部１０の奥部１１０は、分離部１４の下方まで延設されている。
【００３３】
また、図２に示すように、第一流路４０は、分離部１４の上部の開口部から第二液溜め部６方向に向けて斜め右上方向に延設されている所定深さ、所定幅及び所定長さを有する凹部である。第一流路４０の下流端部からは検査対象受体１の下端部２２に向けて、所定深さ、所定幅及び所定長さを有する凹部である第四流路４１が延設されている。第四流路４１の下流側には、分離部１４で分離された分離成分を所定量計り取る計量部４２が形成されている。計量部４２は正面視Ｖ字型に形成された所定深さ、所定幅及び所定長さを有する凹部である。計量部４２の下流側（図２に於ける右端部２４側）には、受け部１７が形成されている。計量部４２と受け部１７とは第五流路４４で接続されている。
【００３４】
受け部１７は、板状部材２に対して所定深さ掘り下げられた凹部である。この受け部１７には、計量部４２で所定量計り取られた分離成分が流入して、第二液溜め部６から流入する試薬や液体と混合される。また、図２に於ける計量部４２の左側には、計量部４２から溢れた余剰な分離成分が流入する第二余剰部４３が形成されている。第二余剰部４３は所定深さ掘り下げられた凹部であり、第二余剰部４３の奥部１４３は、受け部１７方向に延設されている。
【００３５】
次に、図４から図１１を参照して、上記検査対象受体１の使用方法について説明する。まず、図４に示すように、注入口１５から検査対象の液体が第一液溜め部５に注入され、注入口１６から試薬が第二液溜め部６に注入される。次いで、検査対象受体１は、左端部２３及び右端部２４を重力方向（矢印Ｂ方向）と平行にし、上端部２５及び下端部２２を重量方向と直交する状態で、図１に示す検査装置１００のターンテーブル１０３のホルダ１０７に保持される。次いで、この状態から検査対象受体１が反時計回りに９０度自転されると図５に示す状態になる。この時、検査対象受体１の左端部２３及び右端部２４が、図１に示す検査装置１００のターンテーブル１０３の直径方向と平行になっている。
【００３６】
この状態で、検査対象受体１が検査装置１００により公転されると、図５の矢印Ａ方向に遠心力が働く。すると、第一液溜め部５に溜まっていた検査対象の液体７０は、遠心力方向に流れ出し、分離部１４に流れ込み、溢れた分は第六流路１１を流れて第一余剰部１０に入るが遠心力により、図５に示すように、検査対象受体１の下端部２２側に引きつけられる。ここで、図５に示す分離部１４の側壁部１４１と第二流路３１の接続部から遠心力方向（矢印Ａ方向）に伸ばした延長線と第二流路３１の延設方向との成す角度θ１は９０度以上になるようにする。これは、９０度以上あれば、第一液溜め部５から分離部１４に液体を流し込むときに、第二流路３１に流れ込むことを防止できるからである。尚、角度θ１の最大値は、第二流路３１が側壁部１４１に接続できる最大角度までである。
【００３７】
また、第二液溜め部６に溜まっていた試薬８０は、遠心力方向に流れ出し、受け部１７に流れ込む。ここで、図５に示すように、遠心力が矢印Ａ方向に働いているので、受け部１７内の試薬８０は底部１８側に引きつけられる。この状態で検査対象受体１が検査装置１００により公転され続けると、分離部１４に流れ込んだ検査対象の液体７０が比重の異なる成分の混合液の場合には、図６に示すように、比重の小さい分離成分７２と当該分離成分７２より比重の大きい残留成分７１とに遠心分離される。ここで、液体７０の一例として血液を用いると、血漿（分離成分７２）と血球（残留成分７１）とに、ほぼ１対１の容積で分離される。従って、図６に示すように分離成分７２と残留成分７１との境界面Ｃが分離部１４の中央部に出来る。ここで、分離部１４の側壁部１４１と第二流路３１の接続部は、境界面Ｃよりも遠心力方向の上流側になるように設けられている。この場合には、第二流路３１の入り口が分離成分７２側に位置するので、第二流路３１の血球（残留成分７１）による詰まりを防止することができる。
【００３８】
次いで、図６に示す状態から、検査対象受体１が時計回りに９０度自転されると図７に示す状態になる。この時、検査対象受体１の下端部２２及び上端部２５が、検査装置１００のターンテーブル１０３の直径方向と平行になっている。この状態で、検査対象受体１が検査装置１００により公転されると、図７の矢印Ａ方向に遠心力が働く。すると、分離部１４で分離された分離成分７２（一例として血漿）は、遠心力の分力により分離部１４の傾斜した側壁部１４１を登り第一流路４０を流れ、第四流路４１の右側に溜まる。残留成分７１（一例として、血球）は、図７に示すように、分離部１４にとどまる。尚、第一余剰部１０の液体７０は、奥部１１０側に溜まり、受け部１７の試薬８０は、受け部１７の右壁１９側に溜まる。ここで、図７に示すように、遠心力方向（矢印Ａ方向）と第二流路３１の延設方向が成す角度θ２は、当該遠心力方向と第一流路４０の延設方向とが成す角度θ３より大きく構成されている。これにより、遠心力の付加された場合に、分離成分は第一流路４０に流れ易く、分離成分が第二流路３１に流れ込むことを防止できる。
【００３９】
この状態で、検査対象受体１が検査装置１００により公転されると、図８に示すように、分離部１４の残留成分７１（一例として、血球）は、第二流路３１から保持部３０に流れ込む。従って、分離部１４の残留成分７１が第一流路４０に流れ込むことを防止できる。ここで、保持部３０の容積は、残留成分７１の容積を考慮し、溢れることの無い容積に形成されている。
【００４０】
次いで、この状態から検査対象受体１が反時計回りに９０度自転されると図９に示す状態になる。この時、検査対象受体１の左端部２３及び右端部２４が、図１に示す検査装置１００のターンテーブル１０３の直径方向と平行になっている。この状態で、検査対象受体１が検査装置１００により公転されると、図９の矢印Ａ方向に遠心力が働く。すると、第四流路４１に溜まっていた分離成分７２（一例として血漿）は、計量部４２に流れ込み、正面視三角形の凹部の容積だけ所定量が計り取られる。溢れた余剰の分離成分７２は第二余剰部４３に流れ込む。このとき、受け部１７の試薬８０は、受け部１７の底部１８側に溜まる。また、保持部３０に溜まった残留成分７１は、保持部３０の内から逆流することなく保持される。
【００４１】
次いで、図９に示す状態から、検査対象受体１が時計回りに９０度自転されると図１０に示す状態になる。この時、検査対象受体１の下端部２２及び上端部２５が、検査装置１００のターンテーブル１０３の直径方向と平行になっている。この状態で、検査対象受体１が検査装置１００により公転されると、図１０の矢印Ａ方向に遠心力が働く。すると、計量部４２で計量された分離成分７２（一例として血漿）は、遠心力の分力により計量部４２の傾斜した壁部を登り第五流路４４から受け部１７に流れ込む。このとき、第二余剰部４３内の余剰の分離成分７２は、第二余剰部４３の奥部１４３に溜まり逆流しない。また、保持部３０に溜まった残留成分７１は、保持部３０の内から逆流することなく保持される。
【００４２】
次いで、図１０に示す状態で、検査装置１００のターンテーブル１０３の回転を止めると、図１１に示すように、受け部１７に流れ込んだ試薬８０と計量部４２から受け部１７に流れ込んだ分離成分７２とが混合され、混合液８１となる。この状態で、第二余剰部４３の底部には余剰の分離成分７２が溜まり、第一余剰部１０の底部には検査対象の液体７０が溜まる。また、保持部３０の底部には残留成分７１が溜まり、分離部１４の底部には残留成分７１が溜まる。この後、受け部１７で混合された混合液８１に光をあてて調べる光学検査等の方法で測定する。尚、本第一実施の形態では、保持部３０及び第二流路３１を設けたので、次工程である第一流路４０側に、残留成分７１が流れ込み、受け部１７で試薬８０と混ざることを防止できる。
【００４３】
（第二実施形態）
次に、図１２を参照して、第二実施の形態について説明する。第二実施形態の検査対象受体１では、第一実施の形態と異なるのは、残留成分をトラップする保持部３０が第一余剰部１０と接続部３２により接続されている点である。他の構造は、第一実施の形態の検査対象受体１と同じ構造である。この第二実施の形態では、保持部３０を大きくする必要が無くスペースの確保が容易になる。また、第一余剰部１０と保持部３０とを一体に加工でき、加工が容易になる。また、残留成分をトラップする保持部３０の容量を十分確保できる。
【００４４】
（第三実施形態）
次に、図１３を参照して、第三実施の形態について説明する。第三実施形態の検査対象受体１では、第一実施の形態と異なるのは、残留成分をトラップする保持部３０を分離部１４に設けず、第一流路４０の下流側に分離部１４から流れ出た残留成分をトラップする所定深さの凹部である保持部５０を設けた点である。他の構造は、第一実施の形態の検査対象受体１と同じ構造である。第三実施の形態の検査対象受体１では、第一流路４０の底壁４５の遠心力方向（矢印Ａ方向）に対する傾斜角度を第一流路４０の底壁４６の遠心力方向（矢印Ａ方向）に対する傾斜角度及び第一流路４０の上壁４７の遠心力方向（矢印Ａ方向）に対する傾斜角度より小さくして、第一流路４０の延設方向上に保持部５０が開口している。従って、分離部１４から第一流路４０に残留成分が流れ出ても保持部５０に確実にトラップすることができる。
【００４５】
また、図１３に示すように、分離部１４で分離され取り出される分離成分の容積１４Ａ（ハッチング部）よりも保持部５０の容積５０Ａ（ハッチング部）が小さくなるように構成されている。これにより、分離部１４で分離され取り出される分離成分が全て保持部５０にトラップされてしまうことを防止できる。
【００４６】
（第四実施形態）
次に、図１４を参照して、第四実施の形態について説明する。第四実施形態の検査対象受体１では、第一実施の形態と異なるのは、残留成分をトラップする保持部３０を分離部１４に設けず、第一流路４０の下流側に分離部１４から流れ出た残留成分をトラップする保持部５０と当該保持部５０に正面視矩形の所定深さの凹部である第二保持部５１を所定深さで所定幅かつ所定長さの凹部である第三流路５２により接続した点である。この構成により、保持部５０にトラップされた残留成分等は第三流路５２から第二保持部５１に流れ込むことができる。また、図１４に示すように第三流路５２は第二保持部５１の上方に接続されているので、遠心力（矢印Ａ）が付加されても、第二保持部５１から残留成分が第三流路５２を介して保持部５０に逆流することがない。
【００４７】
（第五実施形態）
次に、図１５を参照して、第五実施の形態について説明する。第五実施形態の検査対象受体１では、第四実施の形態と異なるのは、保持部５０に対する第三流路５２の接続角度と、第三流路５２の第二保持部５１への接続位置である。即ち、第三流路５２の延設方向と遠心力方向（矢印Ａ方向）との成す角度θ４は、９０度以下となっている。また、第三流路５２は、第二保持部５１の上部の遠心力方向（矢印Ａ方向）と反対側（壁部１５１側）の端部に接続されている。従って、遠心力（矢印Ａ）が付加されても、第二保持部５１から残留成分が第三流路５２を介して保持部５０に逆流することがない。
【００４８】
（第六実施形態）
次に、図１６を参照して、第六実施の形態について説明する。第六実施形態の検査対象受体１では、第四実施の形態と異なるのは、保持部５０に対する第三流路５２の接続位置と、第二保持部５１の延設方向である。即ち、第三流路５２は、第二保持部５１の上部の遠心力方向（矢印Ａ方向）と反対側（壁部１５１側）の端部に接続されている。また、第二保持部５１の奥部１５２は、第三流路５２と第二保持部５１が接する位置より、遠心力により分離部１４から次工程へ分離成分を移行する状態時の遠心力方向（矢印Ａ方向）に延設されている。従って、遠心力（矢印Ａ）が付加されても、第二保持部５１から残留成分が第三流路５２を介して保持部５０に逆流することがない。
【００４９】
（第七実施形態）
次に、図１７を参照して、第七実施の形態について説明する。第七実施形態の検査対象受体１では、第四実施の形態と異なるのは、残留成分を溜める第二保持部５１が第一余剰部１０と接続部１５３により接続されている点である。他の構造は、第四実施の形態の検査対象受体１と同じ構造である。この第七実施の形態では、第二保持部５１を大きくする必要が無くスペースの確保が容易になる。また、第一余剰部１０と第二保持部５１とを一体に加工でき、加工が容易になる。また、残留成分をトラップする第二保持部５１の容量を十分確保できる。
【００５０】
尚、上記の実施の形態は、分離部１４が「分離部」の一例であり、カバー部材３が「蓋部」の一例である。他は、請求項の構成の名称と実施の形態の構成の名称は一致しているので、対応関係の説明は省略する。
【００５１】
尚、本発明は、上記実施形態に限られず、各種の変形ができる。例えば、検査対象受体１の材質は特に制限されず、ポリエチレンテレフタレート（ＰＥＴ）、ポリブチレンテレフタレート（ＰＢＴ）、ポリメチルメタクリレート（ＰＭＭＡ）、ポリカーボネート（ＰＣ）、ポリスチレン（ＰＳ）、ポリプロピレン（ＰＰ）、ポリエチレン（ＰＥ）、ポリエチレンナフタレート（ＰＥＮ）、ポリアリレート樹脂（ＰＡＲ）、アクリロニトリル・ブタジエン・スチレン樹脂（ＡＢＳ）、塩化ビニル樹脂（ＰＶＣ）、ポリメチルペンテン樹脂（ＰＭＰ）、ポリブタジエン樹脂（ＰＢＤ）、生分解性ポリマー（ＢＰ）、シクロオレフィンポリマー（ＣＯＰ）、ポリジメチルシロキサン（ＰＤＭＳ）などの有機材料を用いることができる。また、シリコン、ガラス、石英等の無機材料を用いても良い。
【００５２】
また、検査対象受体１では、液体の注入口は２つ設けているが、１つ、３つ、４つ等適宜設けても良い。また、検査対象の液体は、血液に限られず、比重の異なる成分が混合した液体であれば各種の液体を計量し、遠心分離して検査することができる。
【００５３】
また、検査対象受体１では、分離部１４に保持部３０を設け、第一流路４０に保持部５０を設けても良い。また、分離部１４に保持部３０を設け、第一流路４０に保持部５０を設け、保持部５０に第二保持部５１を第三流路５２により接続しても良い。
【符号の説明】
【００５４】
１  検査対象受体
２  板状部材
３  カバー部材
５  第一液溜め部
６  第二液溜め部
１０  第一余剰部
１１  第六流路
１４  分離部
１５  注入口
１６  注入口
１７  受け部
３０  保持部
３１  第二流路
４０  第一流路
４１  第四流路
４２  計量部
４３  第二余剰部
４４  第五流路
５０  保持部
５１  第二保持部
５２  第三流路
７０  液体
７１  残留成分
７２  分離成分
１００  検査装置
１０２  上板 
１０３  ターンテーブル
１０４  ホルダ角度変更機構
１０５  中心部分
１０７  ホルダ
【図１】
0005565398.tif 000002
【図２】
0005565398.tif 000003
【図３】
0005565398.tif 000004
【図４】
0005565398.tif 000005
【図５】
0005565398.tif 000006
【図６】
0005565398.tif 000007
【図７】
0005565398.tif 000008
【図８】
0005565398.tif 000009
【図９】
0005565398.tif 000010
【図１０】
0005565398.tif 000011
【図１１】
0005565398.tif 000012
【図１２】
0005565398.tif 000013
【図１３】
0005565398.tif 000014
【図１４】
0005565398.tif 000015
【図１５】
0005565398.tif 000016
【図１６】
0005565398.tif 000017
【図１７】
0005565398.tif 000018